(57)【要約】      （修正有）【課題】多くの参拝者が、スムースに献灯できる献灯装置を提供する。【解決手段】献灯者は、献灯装置１の正面から、ローソク台装置１２にローソクを取り付ける。取り付けたローソクは、回転体３の回転によって参拝者の見える位置において献灯装置内を上昇した後下降して遮蔽板の裏側に回り、参拝者から見えない位置において、ローソク取外し手段（１４等）によって外れ落ちる。ローソク台装置１２は、ローソク刺しの付いた受け具と、ローソク刺しを貫通せしめる穴を有するカバー具とからなり、カバー具のみが、ローソク取外し手段と係合して回動することにより、ローソクが外れる。【効果】ローソクを外す数を調節することができる。また、メンテナンスが容易である。さらに、ヒーターによって冷え固まったロウを溶かし落とすこともできる。【選択図】図１
2004329337.tif 000002
【特許請求の範囲】
【請求項１】
上下方向に回転し互いの回転面が平行する複数の輪状回転体と、前記輪状回転体の回転面と直交し両端が前記輪状回転体に取り付けられローソク台装置を具えるローソク台桟と、ローソク取外し手段と、輪状回転体の回転の駆動手段と、輪状回転体の回転の軌跡によって形成される空間の内部であって、回転する輪状回転体および輪状回転体の回転によって平行移動するローソク台桟と衝突しない位置に存する平板とを有する献灯装置。
【請求項２】
前記輪状回転体が二つあり、それぞれの輪状回転体に受けチップが設けてあり、前記ローソク台桟の一端が二つの前記輪状回転体の１つに設けられた前記受けチップと係合し、前記ローソク台桟の他端が二つの前記輪状回転体の他の１つに設けられた前記受けチップと係合することによって、前記ローソク台桟が前記輪状回転体に取付けられていることを特徴とする請求項１に記載の献灯装置。
【請求項３】
複数のスプロケットによって前記輪状回転体の位置を定め、前記スプロケットを、互いに離れた位置に配することによって、前記輪状回転体に遊びが生じており、前記遊びによって、前記横桟を前記輪状回転体から取り外すことができるようにされていることを特徴とする請求項２に記載の献灯装置。
【請求項４】
前記駆動手段が回転スピード調整のためのコントローラを具えることを特徴とする請求項１に記載の献灯装置。
【請求項５】
外郭手段、落下ローソク案内板および落下ローソク受け手段を有することを特徴とする請求項１に記載の献灯装置。
【請求項６】
前記外郭手段及び前記落下ローソク板にヒータが設けてあることを特徴とする請求項５に記載の献灯装置。
【請求項７】
前記ローソク台桟が横桟と横桟に取付けられたローソク台装置とからなり、
前記ローソク台装置が、
ローソク刺貫通手段とカバー具桟取付手段を有するカバー具と、ローソク刺と受け具桟取付手段とおもりとを有する受け具とからなり、
前記ローソク刺が前記ローソク刺貫通手段を貫通し前記カバー具桟取付手段と前記受け具桟取付手段とが共通の桟を取付けることができるように前記受け具の上に前記カバー具が重なっており、
前記カバー具桟取付手段及び前記受け具桟取付手段が前記横桟に取り付けてあり、前記カバー具の前端が前記受け具の前方に突出していることを特徴とする請求項１記載の献灯装置。
【請求項８】
前記ローソク取外し手段が、
前記受け具の前方に突出した前記カバー具の一部分と係合する止め機構、および前記受け具の存する向きを維持するガイド機構との協働によるものであることを特徴とする請求項７に記載の献灯装置。
【請求項９】
前記止め機構が、
止め桟と止め桟に取付けられた止め装置とからなり、
前記止め桟が、輪状回転体の回転の軌跡によって形成される空間の内部であって回転する輪状回転体および輪状回転体の回転によって平行移動するローソク台桟と衝突しない位置に前記ローソク台桟と平行に存し、
前記輪状回転体の回転によって前記ローソク台桟が下降する際に前記ローソク台装置と前記止め装置とが係合することによってローソクがローソク台装置から外れるようにされていることを特徴とする請求項８に記載の献灯装置。
【請求項１０】
前記止め装置が、前記止め桟の軸方向に一列に延びて存するプレートであることを特徴とする請求項９に記載の献灯装置。
【請求項１１】
前記止め装置が、前記止め桟の軸方向に一列に延びて点在するプレートであることを特徴とする請求項９に記載の献灯装置。
【請求項１２】
前記止め装置が、前記止め桟の軸方向に複数列に延びて存するプレートであって、存するプレートの数が列毎に異なることを特徴とする請求項９に記載の献灯装置。
【請求項１３】
前記止め桟の端部に前記複数列に延びて存するプレートの各々に対応するウイングが設けてあり、
前記外郭手段にウイング受けが設けてあり、前記ウイング受けに係合せしめるウイングの選択により、前記複数列に延びて存するプレートのうちいずれの列に存するプレートがローソク台装置と係合するかを選択できることを特徴とする請求項１０に記載の献灯装置。
【請求項１４】
外郭手段を有し、前記ガイド機構が、前記ローソク台桟に設けられたガイド係合体と、前記外郭手段に設けられたガイドとの係合によるものであることを特徴とする請求項９に記載の献灯装置。
【発明の詳細な説明】
【０００１】
【産業上の利用分野】
この発明は、献灯装置に関する。より詳細には、寺院等において、多数の参拝者の献灯に対応するべく、雛壇状にあしらった献灯装置に関する。
【０００２】
【従来の技術】
従来の、寺院等における多数の参拝者の献灯に対応すべくあしらわれた献灯装置として、実公平２−４７８８４、実公平４−５３７５５、特公平６−４４４０２等が開示されている。これらは、いずれも横桟に複数のローソク取り付け装置を設け、当該横桟を雛壇状に並べたものである。
【０００３】
これらの内、実公平２−４７８８４および実公平４−５３７５５には、いずれも、雛壇状に配置された横桟が、回転運動によって平行移動し、横桟が献灯する側の裏側に回ったときに、ローソクが落下する構造の献灯装置が開示されている（図１６〜図１９）。
【０００４】
しかし、実公平２−４７８８４に開示された装置にあってはローソクの落下手段が必ずしも明らかでなかった（図１７）。
【０００５】
また、実公平２−４７８８４及び実公平４−５３７５５に開示された装置にあっては、いずれもローソクの落下を参拝者の視界から隠す手段が設けられていなかった（図１６、図１８）。自ら献灯したローソクが装置によって落下する様子が、参拝者に見られるのは、好ましいことではない。
【０００６】
また、特公平６−４４４０２に開示された装置にあっては、横桟が回転移動する構造ではなく、献灯されたローソクが、そのままの位置で電熱線によって加熱され、燃え尽きて溶け落ちる構造となっている（図２０）。これによると、ローソク加熱の構造が複雑であるので、製造に経費が掛かり、また、故障した場合の修理に手間がかかった。
【０００７】
さらに、重要な点であるが、従来のいずれの装置にも、メンテナンスの容易性を考慮したものは存在しなかった。
【０００８】
すなわち、例えば実公平２−４７８８４あるいは実公平４−５３７５５に開示された装置にあっては、雛壇の、より上部にあるローソクから溶け落ちるロウが、より下方の横桟やローソク取り付け装置部分に積もり、冷え固まるのが常であった。その結果、献灯装置の見栄えが悪くなるばかりでなく、ローソク取り付け装置に積もったロウによって、献灯が困難となった。このため、献灯が盛んに行われる際には、装置の裏側で、常に、冷え固まったロウを手作業で取り除く必要があった。
【０００９】
また、実公平４−５３７５５に開示されたローソク取り外し手段によると（図２４）、ローソクの燃焼に伴いローソクの底部に溶け固まったロウを、根こそぎ取り去ることはできなかった。このため、ある程度の回数の献灯を繰り返す度に、取り去り残したロウを、同様に手作業で取り除く作業が必要であった。
【００１０】
これらメンテナンスのために、多大な労力と経費を要した。
【００１１】
【発明が解決しようとする課題】
この発明が解決しようとする課題は、多くの参拝者が、スムーズに献灯できる献灯装置を提供することにある。
【００１２】
また、雛壇状に配置された横桟が、回転運動によって平行移動し、横桟が献灯する側の裏側に回ったときに、ローソクが落下する献灯装置であって、装置によるローソクの落下が参拝者の視界から隠れる位置で行われる装置を提供することにある。
【００１３】
また、前記装置において、献灯装置全体の機構、特にローソクの落下する機構が単純で、製造安価で、故障が少なく、かつ故障した場合の修理の容易な装置を提供することにある。
【００１４】
また、雛壇の上部にあるローソクから溶け落ちたロウが、下方にある横桟等に降り積もることのない構造であって、装置のメンテナンスが容易なものを提供することにある。さらに、ローソクの燃焼に伴いローソクの底部に溶け固まったロウを、根こそぎ取り去ることの可能なローソク取り外し手段を設けた装置を提供することにある。
【００１５】
また、ローソクの落下本数を簡単な操作により選択できる装置を提供することにある。
【００１６】
【課題を解決するための手段】
【００１７】
上下方向に回転し互いの回転面が平行する複数の輪状回転体と、前記輪状回転体の回転面と直交し両端が前記輪状回転体に取り付けられローソク台装置を具えるローソク台桟と、ローソク取外し手段と、輪状回転体の回転の駆動手段と、輪状回転体の回転の軌跡によって形成される空間の内部であって、回転する輪状回転体および輪状回転体の回転によって平行移動するローソク台桟と衝突しない位置に存する平板とを有する献灯装置を提供する。
【００１８】
本願において、「前」とは図１に示す右側、すなわち献灯装置の正面側を指す。「上」とは図１に示す上側、すなわち献灯装置の上側を示す。
【００１９】
輪状回転体は、ベルト、チェーン、等でなり、モータ等の駆動手段によって上下方向の面上を回転する。ローソク台桟は、ローソク台装置を具える桟であり、桟の両端が、輪状回転体と係合している。ローソク台桟は、輪状回転体の回転面と直行する方向に取付けられている。ローソク台桟は、通常、複数ある。すなわち、ローソク台桟は、桟が地平面と平行する向きになるよう縦に間隔をおいて配置され、輪状回転体の上下方向の面上の回転の結果、地平面との平行を維持しつつ、上下方向に回転移動する。
【００２０】
献灯装置を使用する際、献灯者は、火のついたローソクをローソク台装置に取付ける。取付けられたローソクは、ローソク取外し手段によって取り外される。
【００２１】
輪状回転体の回転の駆動手段は、既知の手段、例えば、モーターと複数のスプロケットによる。
【００２２】
平板の存する位置、すなわち、輪状回転体の回転の軌跡によって形成される空間の内部であって回転する輪状回転体および輪状回転体の回転によって平行移動するローソク台桟と衝突しない位置とは、献灯者が装置を正面から見た場合に、下降するローソク台桟を献灯者の視界から遮蔽する位置である。この位置に平板が存するため、献灯者は常に、上昇するローソク台桟のみを眼にすることになる。平板には、ローソクから溶け落ちるロウが付着する。ロウの付着を最小限にするために、平板を地面に垂直な方向に向くようにするのが望ましい。
【００２３】
輪状回転体は、複数ある。通常の献灯装置では、二個の輪状回転体が適当であるが、左右方向に長いローソク台桟を用いる場合には、重量の問題上、そのような長いローソク台桟を、左右端のみで支えるのが困難な場合があり、そのような場合には、左右端に加え、左右方向中央付近においても支える必要が生じる。この場合、輪状回転体は、３個になる。
【００２４】
前記輪状回転体が二つあり、それぞれの輪状回転体に受けチップが設けてあり、前記ローソク台桟の一端が二つの前記輪状回転体の１つに設けられた前記受けチップと係合し、前記ローソク台桟の他端が二つの前記輪状回転体の他の１つに設けられた前記受けチップと係合することによって、前記ローソク台桟が前記輪状回転体に取付けられていることを特徴とする献灯装置を提供する。
【００２５】
輪状回転体と、受けチップとローソク台桟の両端との係合は、固着ではなく、付け外しが自在にできるような係合である。例えば、受けチップに設けられた孔にローソク台桟の端部を嵌め込むというような係合でもよいし、ローソク台桟と輪状回転体の離脱を少し困難にするべく、ネジ等を用いて係合せしめてもよい。
【００２６】
輪状回転体とローソク台桟が、固着されておらず、このようにある程度容易に離脱可能とされていることにより、装置のメンテネンスが容易である。
【００２７】
複数のスプロケットによって前記輪状回転体の位置を定め、前記スプロケットを、互いに離れた位置に配することによって、前記輪状回転体に遊びが生じており、前記遊びによって、前記横桟を前記輪状回転体から取り外すことができるようにされていることを特徴とする献灯装置を提供する。
【００２８】
スプロケットを互いに離れた位置に配することによって輪状回転体に遊びが生じるとは、以下のことを意味する。すなわち、スプロケットが互いに離れた位置に配されているために、１つの輪状回転体において、輪状回転体が１のスプロケットと係合する部分と、次のスプロケットと係合する部分との間に、ある程度の距離があり、そのために、輪状回転体に緩みがあることを意味する。
【００２９】
横桟を輪状回転体から容易に取り外すことができるため、献灯装置のメンテナンスが容易である。
【００３０】
前記駆動手段が回転スピード調整のためのコントローラを具えることを特徴とする献灯装置を提供する。
【００３１】
輪状回転体の回転スピードを調節可能とすることにより、装置に取付けられるローソクの量、すなわち献灯者の数に対応可能である。
【００３２】
外郭手段、落下ローソク案内板および落下ローソク受け手段を有することを特徴とする献灯装置を提供する。
【００３３】
外郭手段は、献灯装置全体を囲む部材である。落下ローソク案内板は、落下したローソクを落下ローソク受け手段に案内する板である。また、落下ローソク案内板は、ローソクから溶け落ちるロウを受け止め、はねて飛び散るロウを最小限にするものとしても機能する。落下ローソク案内板がないと、溶け落ちるロウは、落下ローソク受け装置に直接落ち、装置を汚す原因となる。ローソク台装置から外れ落ちたローソクは、落下ローソク案内板に案内されて、落下ローソク受け装置に入る。落下ローソク受け装置には、水を張る等の手段により、ローソクの火を消す手段が設けられている。
【００３４】
前記外郭手段及び前記落下ローソク板にヒータが設けてあることを特徴とする献灯装置を提供する。
【００３５】
ヒータで周辺を暖めることによって、溶け落ちて冷え固まったロウを、溶かし落とすことができる。また、ヒータの熱が平板に反射することによってさらに熱を有効利用できる。外郭手段に設けたヒータは、主に横桟に付着したロウを溶かし落とすものとして機能し、落下ローソク板に設けたヒータは、主に落下ローソク板に付着したロウを溶かし落とすものとして機能する。
【００３６】
前記ローソク台桟が横桟と横桟に取付けられたローソク台装置とからなり、
前記ローソク台装置が、ローソク刺貫通手段とカバー具桟取付手段を有するカバー具と、ローソク刺と受け具桟取付手段とおもりとを有する受け具とからなり、前記ローソク刺が前記ローソク刺貫通手段を貫通し前記カバー具桟取付手段と前記受け具桟取付手段とが共通の桟を取付けることができるように前記受け具の上に前記カバー具が重なっており、前記カバー具桟取付手段及び前記受け具桟取付手段が前記横桟に取り付けてあり、前記カバー具の前端が前記受け具の前方に突出していることを特徴とする献灯装置を提供する。
【００３７】
ローソク台装置は、通常、横桟に複数取り付けられる。ローソク台装置を構成する全ての部材は、横桟に個着されているのではなく、容易に離脱可能である。この結果、装置のメンテナンスが、非常に容易である。
【００３８】
前記ローソク取外し手段が、前記受け具の前方に突出した前記カバー具の一部分と係合する止め機構、および前記受け具の存する向きを維持するガイド機構との協働によるものであることを特徴とする献灯装置を提供する。
【００３９】
ローソク台には、通常、溶け落ちたロウが付着している。このため、受け具の前方に突出したカバー具の一部が止め機構と係合した場合、カバー具と受け具とが、冷え固まったロウによって一体化しているためにカバー具と受け具とが互いに離脱しない。ガイド機構は、ローソク取外し手段によってローソクを取り外す際に、受け具の存する向きを維持することによって、カバー具と受け具とを離脱させるものとして機能する。受け具の存する向きを維持するガイド機構が存しないとすると、受け具は、カバー具に追従して移動してしまう。
【００４０】
前記止め機構が、止め桟と止め桟に取付けられた止め装置とからなり、前記止め桟が、輪状回転体の回転の軌跡によって形成される空間の内部であって回転する輪状回転体および輪状回転体の回転によって平行移動するローソク台桟と衝突しない位置に前記ローソク台桟と平行に存し、前記輪状回転体の回転によって前記ローソク台桟が下降する際に前記ローソク台装置と前記止め装置とが係合することによってローソクがローソク台装置から外れるようにされていることを特徴とする献灯装置を提供する。
【００４１】
前記止め装置が、前記止め桟の軸方向に一列に延びて存するプレートであることを特徴とする献灯装置を提供する。
【００４２】
止め桟の軸方向に一列に伸びて存するプレートとは、一列に途切れなく延びる一枚のプレートである。
【００４３】
前記止め装置が、前記止め桟の軸方向に一列に延びて点在するプレートであることを特徴とする献灯装置を提供する。
【００４４】
止め桟の軸方向に一列に延びて点在するプレートとは、軸方向に一列に延びて並ぶ、途切れのある複数のプレートである。
【００４５】
前記止め装置が、前記止め桟の軸方向に複数列に延びて存するプレートであって、存するプレートの数が列毎に異なることを特徴とする献灯装置を提供する。
【００４６】
止め桟が、軸方向に複数列に延びて存するとは、一列に途切れなく延びる一枚のプレートや、一列に延びて並ぶ途切れのある複数のプレート、が、複数列に及んで存する状態をいう。いずれの列のプレートがローソク台装置と係合するかによって、ローソクを取り外す数を調節できる。
【００４７】
前記止め桟の端部に前記複数列に延びて存するプレートの各々に対応するウイングが設けてあり、前記外郭手段にウイング受けが設けてあり、前記ウイング受けに係合せしめるウイングの選択により、前記複数列に延びて存するプレートのうちいずれの列に存するプレートがローソク台装置と係合するかを選択できることを特徴とする献灯装置を提供する。
【００４８】
外郭手段を有し、前記ガイド機構が、前記ローソク台桟に設けられたガイド係合体と、前記外郭手段に設けられたガイドとの係合によるものであることを特徴とする献灯装置を提供する。
【００４９】
【実施例】
図１及び図２を参照して、献灯装置１は、回転献灯体３、遮蔽版７、落下板６、これらを外側から囲む箱体２、箱体２の下方に設けられた受け装置１６を有する。回転献灯体３は、左右一対のチェーン１１およびローソク台桟１０、を有する。左右一対のチェーン１１は、モーター２５および複数のスプロケット８によって矢印Ａの方向に回転する。モーター３５にはモーターカバー３６が被せてある。図示しないが、モータの回転スピードは、コントローラにより調節できる。
【００５０】
箱体２の前方壁には、扉３７が設けてあり、開放して参拝客がローソクを献上することができる。また、扉３７には透明のガラス素材等を用いて、献上したローソクを見ることができるようになっている。
【００５１】
箱体２の下方には、受け装置１６が設けてある。受け装置１６は、外箱１７と内箱１８の二重構造でなる。内箱１８を網等の水を通す素材で構成し、受け装置１６内に水を張る。後述の作用により受け装置１６に落下したローソクは、水によって消火される。受け装置１６から内箱１８のみを取り上げることにより、受け装置１６にたまった多数のローソクを、一度に取り除くことができる。外箱１７に残った汚れた水は、交換する。受け装置１６を取り出しやすいように、外箱１７に取っ手を設ける。
【００５２】
図１に示すとおり、受け装置１６の下方に、さらにもう一つ引き出し状の箱を設けて、参拝者が献納するローソクや備品等を置く容器とすることができる。図示しないが、箱体２の前方壁面に、ローソク点火のための種火置きを設けることも有効である。
【００５３】
図１に示すとおり、チェーン１１の内側に遮蔽板７が設けてある。遮蔽板７は、箱体２の左右内壁に引っかけて、取り外し自在に留めてある。遮蔽板７は、前方のローソクの溶けたロウを受け止めて、溶けたロウが後方のローソク台桟１０等に降り落ちるのを防ぐものとして機能する。また、遮蔽板７は、後述のとおり、ヒータの熱の反射板として機能する。また、遮蔽板７は、後述の手段により落下するローソクを参拝者の視界から隠すものとしても機能する。
【００５４】
図１に示すとおり、チェーン１１の下方には、落下板６が設けてある。落下板６は、箱体２の背面の壁に取り付けてある。箱体２の背面及び落下板６の裏面にはヒータが取り付けてある。ヒータの熱は、遮蔽板７に反射されて周辺を暖め、箱体２、落下板６、チェーン１１等を加熱し、解け落ちたロウを溶かし落とす。
【００５５】
図２、図１４、図１５を参照して、桟１３にローソク台装置１２が所定の間隔をおいて取付けられ、ローソク台桟１０となっている。図２においては、ローソク台装置１２の詳細な表示を省略している。図１４、図１５に示すとおり、ローソク台装置１２は、箱体２内の空間を効率よく利用するべく、隣り合う二つの桟１３における位置が互い違いになるよう、配置される。例えば、図１４に示すとおりのローソク台装置１２が５個取り付けられたローソク台桟１０の隣には、図１５に示すとおりのローソク台装置１２が６個取り付けられたローソク台桟１０が配置されるといった具合である。
【００５６】
図１４、図１５に示すとおり、ローソク台桟１０の左右には、案内突起２９が設けられている。図１５に示すとおり、ローソク台装置１２が桟１３の左右端に存する場合には、案内突起２９は受け具２０のおもり２８の一端に設けてある（図１０及び図１１も参照）。図１４に示すとおり、ローソク台装置１２が桟１３の左右端に存しない場合には、案内突起２９は補助部材２７に取り付けてある。案内突起２９の機能については後述する。
【００５７】
チェーン１１には、一定間隔を置いてチップ９が固着されている（図１、図８．図９参照）。チップ９には桟取付孔１９が設けてある。桟１３の一端が左右一対のチェーンのうち一方に設けられたチップ９の桟取付孔１９に装入してあり、桟１３の他端が左右一対のチェーンのうち他方に設けられたチップ９の桟取付孔１９に装入してある。
【００５８】
図１を参照して、チェーン１１は、４つのスプロケット８によって留められているだけなので、左右方向に、ある程度の遊びを有する。このチェーン１１の遊びを利用して、スプロケット８の近辺以外の部分において、桟１３の端部と桟取付孔１９との係合を外すことができる。これにより、ローソク台桟１０及び遮蔽板７のメンテナンスが容易となる。
【００５９】
図３、図４を参照して、ローソク台装置１２は、受け具２０およびカバー具３０からなっている。受け具２０には桟１３を通す孔が設けてあり（図示せず）、カバー具３０には輪の形状でなる脚３１が設けてある。脚３１の輪の内周は受け具２０に設けられた孔の外周と同様である。受け具２０は、受板２１、ローソク刺２２を有し、一端にはおもり２８が設けてある。おもり２８は、後述の通り燃え残ったローソクを取り外す際に重要な役割を果たす。また、参拝者がローソクを立てるときにローソク台装置１２の揺れを小さくするものとして機能する。
【００６０】
カバー具３０には、長孔３３が穿ってある。
【００６１】
受け具２０とカバー具３０を、受け具２０を上下方向に重なるように、かつ、脚３１と受け具２０の孔とが桟１３を受け入れるべく横方向に重なるように、合体させる。カバー具３０と受け具２０が合体した際、受け具２０のローソク刺２２が長孔３３から突出するようになっている。
【００６２】
受け具２０の孔とカバー具３０の穴に桟１３を挿入して、ローソク台装置１２を桟１３に取り付ける。カバー具３０は、脚３１によって桟１３と係合しているので、桟１３を軸に容易に一端が回動する（図４）。
【００６３】
メンテナンスの際には、ローソク台装置１２を桟１３から取り外し、受け具２０とカバー具３０に分解することができる。よって、それぞれに付着したロウを取り除く際にも、また、これらの部材が劣化し取り替える際にも、作業が容易である。
【００６４】
遮蔽板７及びモータカバー６に落ちてたまったロウは、ローソク台桟１０を部分的に取り外して作業者が正面から手を挿入することにより、また、遮蔽板７及びモータカバー６自体を取り外すことによりメンテナンスが容易である。ローソク台桟１０の取り外しが容易であることについては、前述の通りである。また、遮蔽板７及びモータカバー６は平板であるので、メンテナンスの際のロウの取り除きが、複雑な構造でなるローソク台桟１０よりも容易である。
【００６５】
図１、図２、図９に示すとおり、箱体２の上部後方に、操作棒１４が取り付けてある。操作棒１４は、後述の作用により、案内突起２９と協働して、燃え残ったローソクを取り外すものとして機能する。
【００６６】
図５に示すとおり、操作棒１４は、軸４０、及び軸４０に固着された複数のプレート（４１、４２、４３）よりなる。Ａプレート４１は、操作棒１４の軸方向に５枚ならんでおり、各Ａプレートは、前述のローソク台桟１０のうちローソク台装置１２が５点設けられたものの各ローソク台装置１２に対応する位置に存する。また、Ｂプレート４２は、操作棒１４の軸方向に６枚並んでおり、各Ｂプレートは、前述のローソク台桟１０のうちローソク台装置１２が６点並んだものの各ローソク台装置１２に対応する位置に存する。この結果、Ａプレート４１とＢプレート４２は、周方向に互い違いの位置に存することになる。さらに、Ｃプレート４３は、操作棒１４の軸方向に途切れなく延びるプレートである。
【００６７】
５枚のＡプレート４１は、それぞれが、全て、軸４０周の方向に同じ方向を向いている。６枚のＢプレート４２は、それぞれが、全て、軸４０の周方向に同じ方向を向いている。Ａプレート４１の向きとＢプレート４２の向きは、軸４０の周方向に９０度をなしており、Ａプレート４１の向きとＣプレート４３の向きは、軸４０の周方向に９０度をなしている。Ａプレート４１の向きと、軸４０の周方向に１８０度をなす位置には、プレートがなんら存しない。
【００６８】
図６に示すとおり、操作棒１４の一端には、Ａウイング４４、Ｂウイング４５、Ｃウイング４６、Ｄウイング４７が固着されている。Ａウイング４４は軸方向に並ぶＡプレートの延長上にあり、Ｂウイング４５は軸方向に並ぶＢプレートの延長上にあり、Ｃウイング４７は軸方向に延びるＣプレートの延長上にある。ＤウイングはＡウイングと軸４０の周方向に１８０度を成す位置にある。
【００６９】
箱体２の適当な位置に操作棒受け５０が取り付けてあり、操作棒受け５０にウイングをはめ込むことができる。操作棒受け５０にはめ込まれたウイングは、箱対２の外部から操作されるようになっている。
【００７０】
Ａ、Ｂ、Ｃ、Ｄの、いずれのウイングを操作棒受５０に嵌め込むかによって、ローソク台装置１２と係合するプレートを選択できる。すなわち、Ａウイングを嵌め込んだ場合にはＡプレートを選択したことなり、ローソク台装置１２が５点並んだローソク台桟１０のローソク台装置１２に取付けられたローソクを取り外すことになる。同様に、Ｂウイングをはめ込んだ場合にはＢプレートを選択したことになり、Ｃウイングをはめ込んだ場合にはＣプレートを選択したことになる。Ｄウイングをはめ込んだ場合にはローソク台装置１２と係合するプレートが存在しない状態を選択したことになり、この場合にはローソクは落下しない。
【００７１】
図６では、操作棒４０を矢印Ｂの方向に降ろして操作棒５０にウイング４７に嵌め込む場合を示している。ウイング４７をはめ込んだ場合には、後述の作用により、軸方向に６枚並んだプレートＢが機能し、６点並んだローソク台装置に取付けられたローソクが外れ落ちることになる。
【００７２】
ローソクの取り付けと、ローソクが外れ落ちる機構を説明する。参拝者は、扉３７の開放等によって開いた献灯装置１の正面から、任意のローソク台装置１２を選び、ローソク刺２２にローソクを刺す。ローソク刺とローソク台装置の係合を図９に示す。刺したローソクは、チェーン１１が矢印Ａ方向に回転してローソク台桟１０を上方に平行移動させるのに伴い、ゆっくりと上昇する。ローソク台桟１０は、最も上方のスプロケット８との係合により向きを変え、今度はゆっくりと下降する。それに伴い、ローソク台装置１２も下降する。
【００７３】
箱体２の左右内壁の適当な位置に左右一対のガイド１５が設けてある（図１、図２、図９〜図１３）。ローソク台桟１０が下降する際、ローソク台装置１２の左右にある案内突起２９が、ガイド１５と係合する（図１１）。
【００７４】
案内突起２９の下降とガイド１５の係合、及びそれに伴いローソク台装置からローソクが外れ落ちる機構、を、時間の経過に従って、図１０〜図１３に示す。ローソク台装置１２は、下降に伴い操作棒１４に近づく（図１０）。図では、操作棒１４のＢプレート４２を選択した場合を示している。
【００７５】
ローソク台装置１２がＢプレート４２と係合する少し以前、またはローソク台装置１２がＢプレート４２と係合するとほぼ同時に、ローソク台装置１２の案内突起２９が、ガイド１５と係合する（図１１）。案内突起２９とガイド１５とが係合することにより、ローソク台装置１２の受け具２０は、ローソクが外れ落ちるまでの間、ローソクが付いていたときのままの向きを維持し、下方に平行移動することになる。
【００７６】
ローソク台装置１２において、カバー具３０が受け具２０よりも少し前方に長く突出するようになっているため、Ｂプレート４２と係合するのはローソク台装置１２のうちカバー具３０のみである。すなわち、カバー具３０の先端がＢプレート４２と係合し、ローソク台装置１２の下降に伴い、カバー具３０は、桟１３を支点に上方に回動する（図１１、図１２）。カバー具３０の回転移動に伴ってローソク刺２２のカバー具３０からの突出部分が小さくなり、ローソク刺２２に取り付けられたローソク２５は、根こそぎはずれ、落下する。
【００７７】
【効果】
雛壇状に配置されたローソク取り付け台が回転し、新たなローソク取り付け台が順次現れるため、多くの参拝者が、スムーズに献灯できる。
【００７８】
桟が献灯する側の裏側に回った際のローソクの落下が、参拝者の視界から隠れる位置で行われるため、参拝者に不快感を与えない。
【００７９】
献灯装置全体の機構、特にローソクの落下する機構が単純であるため、製造安価で、故障が少なく、かつ故障した場合の修理が容易である。
【００８０】
ローソク台装置も、部品点数が少なく、製造工程が単純で済むことにより、安価かつ容易な製造が可能となる。
【００８１】
ローソクを落下させる本数の選択が、数段階にでき、参拝者数の変化に応じて、落下ローソク本数を容易に調節できる。
【００８２】
雛壇の上部にあるローソクから溶け落ちたロウが、平板に落下するので、下方にある桟等に降り積もることがなく、装置のメンテナンスが容易である。
【００８３】
溶け落ちたロウを、溶かす装置があるため、装置のメンテナンスが容易である。
【図面の簡単な説明】
【図１】本発明に係る献灯装置を側面から見た説明図である。
【図２】本発明に係る献灯装置を正面から見た説明図である。
【図３】本発明に係るローソク台装置の桟への取付けを示す斜視図である。
【図４】本発明に係るローソク台装置の桟への取付けを示す斜視図である。
【図５】本発明に係る操作棒装置を示す斜視図である。
【図６】本発明に係る操作棒装置の端部を示す斜視図である。
【図７】本発明に係るローソク台装置と操作棒装置止桟との係合を示す説明図である。
【図８】本発明に係るチェーンを示す。
【図９】本発明に係る献灯装置を示す説明図である。
【図１０】本発明に係るローソク台装置と操作棒との係合を示す説明図である。
【図１１】本発明に係るローソク台装置と操作棒との係合を示す説明図である。
【図１２】本発明に係るローソク台装置と操作棒との係合を示す説明図である。
【図１３】本発明に係るローソク台装置と操作棒との係合を示す説明図である。
【図１４】本発明に係るローソク台桟を示す。
【図１５】本発明に係るローソク台桟を示す。
【図１６】従来の献灯装置を示す斜視図である。
【図１７】従来の献灯装置のローソク立て取外し手段を示す斜視図である。
【図１８】従来の献灯装置を示す斜視図である。
【図１９】従来の献灯装置のローソク取外し手段を示す斜視図である。
【図２０】従来の献灯装置を示す斜視図である。
【符号の説明】
１・・・献灯装置
２・・・箱体
３・・・回転献灯体
４・・・ヒーター
５・・・ヒーター
６・・・モータカバー
７・・・遮蔽板
８・・・スプロケット
９・・・チップ
１０・・・ローソク台桟
１１・・・チェーン
１２・・・ローソク台装置
１３・・・桟
１４・・・操作棒
１５・・・ガイド
１６・・・受け装置
１７・・・外箱
１８・・・内箱
１９・・・桟取付孔
２０・・・受け具
２１・・・受板
２２・・・ローソク刺
２５・・・ローソク
２７・・・補助部材
２８・・・おもり
２９・・・案内突起
３０・・・カバー具
３３・・・長孔
３５・・・モーター
３６・・・モーターカバー
３８・・・止め桟軌跡
４０・・・軸
４１・・・Ａプレート
４２・・・Ｂプレート
４３・・・Ｃプレート
４４・・・Ａウイング
４５・・・Ｂウイング
４６・・・Ｃウイング
４７・・・Ｄウイング
５０・・・操作棒受
【図１】
2004329337.tif 000003
【図２】
2004329337.tif 000004
【図３】
2004329337.tif 000005
【図４】
2004329337.tif 000006
【図５】
2004329337.tif 000007
【図６】
2004329337.tif 000008
【図７】
2004329337.tif 000009
【図８】
2004329337.tif 000010
【図９】
2004329337.tif 000011
【図１０】
2004329337.tif 000012
【図１１】
2004329337.tif 000013
【図１２】
2004329337.tif 000014
【図１３】
2004329337.tif 000015
【図１４】
2004329337.tif 000016
【図１５】
2004329337.tif 000017
【図１６】
2004329337.tif 000018
【図１７】
2004329337.tif 000019
【図１８】
2004329337.tif 000020
【図１９】
2004329337.tif 000021
【図２０】
2004329337.tif 000022
【手続補正書】
【提出日】平成15年7月24日(2003.7.24)
【手続補正１】
【補正対象書類名】図面
【補正対象項目名】全図
【補正方法】変更
【補正の内容】
【図１】
2004329337.tif 000023
【図２】
2004329337.tif 000024
【図３】
2004329337.tif 000025
【図４】
2004329337.tif 000026
【図５】
2004329337.tif 000027
【図６】
2004329337.tif 000028
【図７】
2004329337.tif 000029
【図８】
2004329337.tif 000030
【図９】
2004329337.tif 000031
【図１０】
2004329337.tif 000032
【図１１】
2004329337.tif 000033
【図１２】
2004329337.tif 000034
【図１３】
2004329337.tif 000035
【図１４】
2004329337.tif 000036
【図１５】
2004329337.tif 000037
【図１６】
2004329337.tif 000038
【図１７】
2004329337.tif 000039
【図１８】
2004329337.tif 000040
【図１９】
2004329337.tif 000041
【図２０】
2004329337.tif 000042